(57)【特許請求の範囲】
【請求項１】
主電源と、副電源と、電源電圧を昇圧するＤＣ／ＤＣコンバータと、該ＤＣ／ＤＣコンバータにより充電される主コンデンサと、該主コンデンサの充電電圧を検出する電圧検出手段とを備えたストロボ装置において、
前記電圧検出手段にて充電電圧が第１の所定レベルに達したことが検出されるまでは、前記主電源のみの電圧にて前記ＤＣ／ＤＣコンバータを作動させ、前記充電電圧が前記第１の所定レベル以上であることが検出されると、前記主電源と前記副電源の加算電圧にて前記ＤＣ／ＤＣコンバータを作動させ、前記充電電圧が前記第１の所定レベルよりも高い第２の所定レベルに達したことが検出されることにより、前記ＤＣ／ＤＣコンバータの作動を停止させる充電制御手段を設けたことを特徴とするストロボ装置。
【請求項２】
前記副電源は、前記主電源により充電される二次電池であることを特徴とする請求項１記載のストロボ装置。
【請求項３】
前記副電源は、前記主電源により充電される大容量のコンデンサであることを特徴とする請求項１記載のストロボ装置。
【請求項４】
前記副電源の電池容量は、前記主電源よりも小さいことを特徴とする請求項１，２又は３記載のストロボ装置。
【発明の詳細な説明】
【０００１】
【発明の属する技術分野】
本発明は、カメラ等に具備されるストロボ装置に関し、特に主電源と副電源とを有するストロボ装置の改良に関するものである。
【０００２】
【従来の技術】
近年、撮影レンズの焦点距離を切り換えるものや、ズーム化されるコンパクトなカメラが増え、撮影領域が広がり、使い勝手の良いカメラが提供されている。しかしながら、特に長焦点側の撮影レンズのＦナンバーが小さいために暗くなり、この事でストロボ装置のガイドナンバーも増加する傾向にある。またカメラの小型化に伴い、電源である電池もリチウム電池２本の６Ｖから１本だけの３Ｖを使用するカメラも増加してきている。
【０００３】
従って、ストロボの充電時間も従来の６Ｖ電池では余り気にならなかったものが、３Ｖ電池１本では５秒を越えるようなものも増え、操作感が悪くなると言う問題がある。
【０００４】
この点に鑑み、本願出願人は特願平７−２６９０５８号により、電源電圧を昇圧するＤＣ／ＤＣコンバータと、該ＤＣ／ＤＣコンバータより出力するエネルギーを蓄積する主コンデンサと、該主コンデンサの電圧を検出して所定電圧に達した時点で発振を停止するストロボ装置において、第１の電源である主電池と、第２の電源である副電源と、前記ＤＣ／ＤＣコンバータの発振動作中に導通するか、或は、前記ＤＣ／ＤＣコンバータの発振動作に同期して導通、非導通となり、導通時に前記ＤＣ／ＤＣコンバータに与える電源を前記主電池と副電源の直列回路として与えるスイッチ手段とを設けたストロボ装置を提案している。
【０００５】
この種のストロボ装置によれば、前記スイッチ手段は、導通時に主電池と副電源を直列に接続して、主電池に副電源を加算した電源をＤＣ／ＤＣコンバータに与えることが可能となっている。
【０００６】
以下、この従来の提案装置について、図３を用いて説明する。
【０００７】
図３において、１０１は電源であるところの電池（以下、主電源と記す）、１０２は抵抗、１０３は前記抵抗１０２がベース・エミッタ間に接続されているトランジスタである。１０４は抵抗で、前記トランジスタ１０３のベース電流を制限するように接続されている。１０５はダイオードであり、前記主電源１０１と直列に接続されている。１０６は副電源であるところの容量素子（以下、副電源と記す）であり、例えば、二次電池又は大容量のコンデンサである。１０７は前記副電源１０６と直列接続された抵抗であり、前記ダイオード１０５を介して前記主電源１とは並列接続されている。１０８はＦＥＴトランジスタ（ｎチャンネル）であり、前記抵抗１０４に接続され、前記トランジスタ１０３のベース電流を制御するように構成されている。１０９は前記ＦＥＴトランジスタ１０８のゲート・ソース間に接続された抵抗、１１０は抵抗である。１１１はコンデンサであり、発振用トランジスタ１１２のベース・エミッタ間に接続されている。
【０００８】
１１３はＦＥＴトランジスタ（ｎチャンネル）であり、前記発振用トランジスタ１１２のベースを制御するように接続され、そのゲートは前記抵抗１０９と前記ＦＥＴトランジスタ１０８のゲートに接続されている。１１４はダイオードであり、そのアノードが前記電池１０１の負極に、カソードが前記ＦＥＴトランジスタ１１３のソースに、それぞれ接続されている。１１５は発振トランスであり、一次巻線Ｐは前記トランジスタ１１２のコレクタと電池１０１の負極との間に、二次巻線Ｓは前記ダイオード１１４のカソードと前記ＦＥＴトランジスタ１１３のソースとの接続点に、それぞれ接続されている。１１７は整流用ダイオードであり、前記発振トランス１１５の二次巻線Ｓの一端にそのアノードが接続されている。
【０００９】
１１８はストロボ装置の主コンデンサであり、その正極は前記整流用ダイオード１１７のカソードに、負極は前記電池１の負極に、それぞれ接続されている。１１６は前記発振トランス１１５のフィードバック巻線Ｆのフィードバック電流を制限するための抵抗であり、該抵抗１１６の一端に接続された前記フィードバック巻線Ｆのもう一端は、前記ダイオード１１４のカソードに接続されている。１１９は電圧検出回路であり、前記主コンデンサ１１８の充電電圧を検出するために、この主コンデンサ１１８に並列に接続されている。１２０は発光回路であり、放電管１２１に高圧のトリガ電圧を与えて発光させる回路である。ａ，ｂ，ｃは制御端子であり、図示しないカメラの制御回路に接続されている。
【００１０】
次に、以上のように構成されたストロボ装置の動作について説明する。
【００１１】
ここでは、図示しないカメラの制御回路による一般的なカメラ動作のシーケンスの説明は省略して、主にストロボ動作の部分について説明する。
【００１２】
今、副電源１０６（二次電池又は大容量のコンデンサを使用）は、主電源１０１によりダイオード１０５と抵抗１０７を介して充電されている。この副電源１０６は（コンデンサの場合はエネルギーにもよるが）数〜１０数ｍＡｈ程度であり、一方、主電池１０１は一般的に数百〜千数百ｍＡｈであることから、副電源１０６の充電負荷は主電池１０１に対して十分小さい。なお、この充電が行われている状態では、カメラの制御回路（図示していない）からの制御端子ａを介する制御信号はロ−レベルにあり、ＦＥＴトランジスタ１０８，１１３は共に非導通状態である。
【００１３】
次に、制御端子ａにカメラの制御回路より充電開始信号が与えられると、抵抗１０９に電位が発生し、これに接続されているＦＥＴトランジスタ１０８，１１３のゲートにハイレベルの信号が与えられ、ＦＥＴトランジスタ１０８，１１３は導通状態となる。前記ＦＥＴトランジスタ１０８が導通すると抵抗１０４を介してトランジスタ１０３のベース電流が流れ、該トランジスタ１０３は導通状態となる。同時にＦＥＴトランジスタ１１３の導通により、発振用トランジスタ１２のベース電流が、主電池１０１，トランジスタ１０３のエミッタ・コレクタ，副電源１０６，ＦＥＴトランジスタ１１３，発振用トランジスタ１１５のフィードバック巻線Ｆ、及び、抵抗１１６を介して流れる。
【００１４】
従って、発振用トランジスタ１１２は導通して、発振トランス１１５の一次巻線Ｐに電流が流れて二次巻線Ｓに誘導起電力が発生し、ダイオード１１７，主コンデンサ１１８，主電池１０１，トランジス１０３，副電源１０６，発振用トランジスタ１１２、及び、ＦＥＴトランジスタ１１３を介するループで電流が流れる。
【００１５】
更に、フィードバック巻線Ｆにも発振動作の誘導起電力が発生し、抵抗１１６，主電池１０１，トランジスタ１０３，副電源１０６，発振用トランジスタ１１２のベース・エミッタ、及び、ＦＥＴトランジスタ１１３を介して流れる電流が共に発振用トランジスタ１１２のベース電流となるために、該発振用トランジスタ１１２は十分なベース電流が与えられ、一瞬にして飽和状態となる。この発振用トランジスタ１１２より与えられる電流を発振トランス１１５のコアの磁束が飽和すると、該発振トランス１１５の巻線に逆起電圧が発生して、二次巻線Ｓの逆起電力は整流ダイオード１１７の接合容量を介して逆方向に流れ、ＦＥＴトランジスタ１１３を介して発振用トランジスタ１１２のベース・エミッタ間に逆バイアスが与えられるために、発振用トランジスタ１１２は一瞬にして非導通状態となる。
【００１６】
やがて、発振トランス１１５のコアの磁束が戻ると、再び先のようなループで発振用トランジスタ１１２のベース電流が流れ、これを繰り返すことで主電池１０１と副電源１０６で与えられるエネルギーは、発振トランス１１５にて昇圧され、整流ダイオード１１７を介して主コンデンサ１１８に蓄積される。
【００１７】
以上の動作の要約すると、ＦＥＴトランジスタ１０８，１１３とトランジスタ１０３でスイッチ手段を構成し、前記ＦＥＴトランジスタ１０８，１１３が非導通時には、主電池１０１と副電源１０６は並列接続され、主電源１０１により副電源１０６の充電が行われる。ＦＥＴトランジスタ１０８，１１３が導通する発振動作中には、トランジスタ１０３が導通して主電池１０１と副電源１０６が直列接続の状態に切り換えられ、これらの加算電源が発振用トランジスタ１１２と発振トランス１１５を主な構成要素とするストロボ充電用のＤＣ／ＤＣコンバータに印加されるようにしている。
【００１８】
このようにして、主コンデンサ１１８のエネルギー蓄積による充電電圧が所定の電圧に達すると、電圧検出回路１１９は図示しないカメラの制御回路に対し制御端子ｂを介して信号を送る。信号を受信するとカメラの制御回路は制御端子ａをローレベルに戻して発振動作を停止させ、初期の状態に戻して再び主電池１０１より副電源１０６を充電する状態となる。
【００１９】
尚、抵抗１０２はトランジスタ１０３のリーク電流補償用であり、抵抗１１０は発振用トランジスタ１１２のリーク電流補償用で、コンデンサ１１１は発振トランス１１５の逆起電圧により発振用トランジスタ１１２のベース・エミッタに過電圧が印加されるのを防止する保護コンデンサである。
【００２０】
最後に、ストロボを発光させる発光動作は、制御端子ｃを介して行われ、制御端子ｃに発光信号が与えられると、発光回路１２０より放電管１２１にトリガ信号を与えて、主コンデンサ１１８のエネルギーは放電管１２１により光エネルギーに変換され、被写体を照明することになる。
【００２１】
以上説明したように、従来例においては、ストロボ充電用のＤＣ／ＤＣコンバータが発振動作中は、主電池１０１に副電源１０６を加えた電源を前記ＤＣ／ＤＣコンバータに印加することで、ストロボ充電時間を短縮している。
【００２２】
図４はストロボ充電電圧と充電時間の関係を示す充電特性を示す図である。
【００２３】
図４を用いて、この場合の充電時間が副電源１０６が無い場合に比較してどの程度短縮できたかを具体的に検証してみると、副電源１０６の電荷が無い場合、図４のＶ１の充電特性が得られるように発振トランス１１５の一次巻線と二次巻線の巻線比が設定されている場合に、所定電圧Ｖreg に達する充電時間をｔ1 とすれば、副電源１０６が主電池１０１に直列接続となる場合の充電特性は、Ｖ２の特性で示すことができる。従って、Ｖ２の場合は同じ所定電圧Ｖreg に達する充電時間はｔ2 に短縮できる。
【００２４】
例えば、概略的に充電時間ｔは次式で示すことができる。
【００２５】
ｔ＝−Ｃ・Ｒ・ｌｎ｛１−Ｖreg ／ｎＥ｝×ｋ
但し、
Ｃ    ：主コンデンサ容量
Ｒ    ：ループ内抵抗
Ｖreg ：レギュレート電圧
ｎ    ：発振トランスの巻線比
Ｅ    ：電池電圧
ｋ    ：係数
ｌｎ  ：自然対数
上式から、副電源１０６の容量が十分であり、ダイオード１０５の順方向電圧Ｖｆを無視し、ループ抵抗が変化せず他の係数も変化しないものと仮定すれば、比ｔ2 ／ｔ1 は、
ｔ2 ／ｔ1 ＝１ｎ｛１−Ｖreg ／２ｎＥ｝／１ｎ｛１−Ｖreg ／ｎＥ｝
となり、巻線比ｎ＝１３０、レギュレート電圧Ｖreg ＝３１０、電池電圧Ｅ＝４Ｖと仮定すれば、
ｔ2 ／ｔ1 ＝ 0.39
となって、概略計算でｔ2 はｔ1 の約４０％の充電時間となり、副電源１０６の無い場合より充電時間を６０％短縮できたことになる。
【００２６】
【発明が解決しようとする課題】
しかしながら、充電時間は上記の様にかなり短縮出来るものの、前述の従来の方法においては、副電源１０６の容量が主コンデンサ１１８を充電する１回のエネルギーに対して充分である必要がある。
【００２７】
ここで、副電源１０６の容量が小さい場合を、図５を用いて説明する。副電源１０６の無いストロボ装置の主コンデンサ１１８の充電特性をＶ１で示せば、副電源１０６の比較的容量の小さい場合には、Ｖ２’の曲線となる。充電の初期では、Ｖ１の電圧上昇に対して速く充電するものの、所定電圧Ｖreg 近傍にて残電圧が低下し、結果的に充電時間の差が無くなる。
【００２８】
従って、これを解消して図４の様な充電特性Ｖ２を得るには、主コンデンサ１１８の１回の充電が終了する時点で、副電源１０６の残電圧が十分である必要があった。このため、副電源自体の形状が大きくなり、コスト的にも、実装上でも問題があった。
【００２９】
（発明の目的）
本発明の目的は、ストロボ充電時間の短縮化を達成しつつ、副電源の容量を小さなものにし、該副電源を小型化、低コスト化することのできるストロボ装置を提供することにある。
【００３０】
【課題を解決するための手段】
上記目的を達成するために、本発明は、主電源と、副電源と、電源電圧を昇圧するＤＣ／ＤＣコンバータと、該ＤＣ／ＤＣコンバータにより充電される主コンデンサと、該主コンデンサの充電電圧を検出する電圧検出手段とを備えたストロボ装置において、前記電圧検出手段にて充電電圧が第１の所定レベルに達したことが検出されるまでは、前記主電源のみの電圧にて前記ＤＣ／ＤＣコンバータを作動させ、前記充電電圧が前記第１の所定レベル以上であることが検出されると、前記主電源と前記副電源の加算電圧にて前記ＤＣ／ＤＣコンバータを作動させ、前記充電電圧が前記第１の所定レベルよりも高い第２の所定レベルに達したことが検出されることにより、前記ＤＣ／ＤＣコンバータの作動を停止させる充電制御手段を設けたストロボ装置とするものである。
【００３１】
更に詳述すると、従来では、充電開始の直後から主電源と副電源の加算電圧にてＤＣ／ＤＣコンバータを作動させる構成にしていたが、本発明においては、充電電圧が第１の所定レベルに達したことが検出されるまでは、主電源のみの電圧にてＤＣ／ＤＣコンバータを作動させ、その後充電電圧が前記第１の所定レベルを越えることにより、初めて主電源に副電源の電圧を加えた電源電圧にてＤＣ／ＤＣコンバータを作動させるようにし、副電源の電圧を加えてのＤＣ／ＤＣコンバータの作動中に、換言すれば、ＤＣ／ＤＣコンバータの作動を停止させる第２の所定レベルに充電電圧が達しないうちに、前記副電源の残電圧が低下してしまわないようにしている。
【００３２】
【発明の実施の形態】
以下、本発明を図示の実施の形態に基づいて詳細に説明する。
【００３３】
図１において、１は電源であるところの電池（以下、主電源と記す）、２は抵抗、３は前記抵抗２がベース・エミッタ間に接続されているトランジスタである。４は抵抗で、前記トランジスタ３のベース電流を制限するように接続されている。５はダイオードであり、前記主電源１と直列に接続されている。６は副電源であるところの容量素子（以下、副電源と記す）であり、例えば、二次電池又は大容量のコンデンサである。７は前記副電源６と直列接続された抵抗であり、前記ダイオード５を介して前記主電源１とは並列接続されている。８はＦＥＴトランジスタ（ｎチャンネル）であり、前記抵抗４に接続され、前記トランジスタ３のベース電流を制御するように構成されている。９は前記ＦＥＴトランジスタ１３のゲート・ソース間に接続された抵抗、１０は抵抗である。１１はコンデンサであり、発振用トランジスタ１２のベース・エミッタ間に接続されている。２２は抵抗であり、ＦＥＴトランジスタ８のゲート・ソース間に接続されている。
【００３４】
１３はＦＥＴトランジスタ（ｎチャンネル）であり、前記発振用トランジスタ１２のベースを制御するように接続され、そのゲートは前記抵抗９と前記ＦＥＴトランジスタ８のゲートに接続されている。１４はダイオードであり、そのアノードが前記電池１の負極に、カソードが前記ＦＥＴトランジスタ１３のソースに、それぞれ接続されている。１５は発振トランスであり、一次巻線Ｐは前記トランジスタ１２のコレクタと電池１の負極との間に、二次巻線Ｓは前記ダイオード１４のカソードと前記ＦＥＴトランジスタ１３のソースとの接続点に、それぞれ接続されている。１７は整流用ダイオードであり、前記発振トランス１５の二次巻線Ｓの一端にそのアノードが接続されている。
【００３５】
１８はストロボ装置の主コンデンサであり、その正極は前記整流用ダイオード１７のカソードに、負極は前記電池１の負極に、それぞれ接続されている。１６は前記発振トランス１５のフィードバック巻線Ｆのフィードバック電流を制限するための抵抗であり、該抵抗１６の一端に接続された前記フィードバック巻線Ｆのもう一端は、前記ダイオード１４のカソードに接続されている。１９は電圧検出回路であり、前記主コンデンサ１８の充電電圧を検出するために、この主コンデンサ１８に並列に接続されている。２０は発光回路であり、放電管２１に高圧のトリガ電圧を与えて発光させる回路である。ａ，ｂ，ｃは制御端子であり、図示しないカメラの制御回路に接続されている。ｄは前記電圧検出回路１９とＦＥＴトランジスタ８のゲート間を接続する信号ラインである。
【００３６】
次に、以上のように構成されたストロボ装置の動作について説明する。
【００３７】
ここでは、図示しないカメラの制御回路による一般的なカメラ動作のシーケンスの説明は省略して、主にストロボ動作の部分について説明する。
【００３８】
今、副電源６（二次電池又は大容量のコンデンサを使用）は、主電源１によりダイオード５と抵抗７を介して充電されている。この副電源６は（コンデンサの場合はエネルギーにもよるが）数ｍＡｈ以下で十分であり、一方、主電池１は一般的に数百〜千数百ｍＡｈであることから、副電源６の充電負荷は主電池１に対して十分小さい。なお、この充電が行われている状態では、カメラの制御回路（図示していない）からの制御端子ａを介する制御信号はＬレベルにあり、ＦＥＴトランジスタ１３は共に非導通状態である。
【００３９】
次に、制御端子ａにカメラの制御回路より充電開始信号が与えられると、抵抗９に電位が発生し、これに接続されているＦＥＴトランジスタ１３のゲートにハイレベルの信号が与えられ、ＦＥＴトランジスタ１３は導通状態となる。前記ＦＥＴトランジスタ１３の導通により発振用トランジスタ１２のベース電流が、主電池１，ダイオード５，ＦＥＴトランジスタ１３，発振用トランジスタ１５のフィードバック巻線Ｆ、及び、抵抗１６を介して流れる。
【００４０】
従って、発振用トランジスタ１２は導通して、発振トランス１５の一次巻線Ｐに電流が流れて二次巻線Ｓに誘導起電力が発生し、ダイオード１７，主コンデンサ１８，主電池１，ダイオード５，発振用トランジスタ１２、及び、ＦＥＴトランジスタ１３を介するループで電流が流れる。
【００４１】
更に、フィードバック巻線Ｆにも発振動作の誘導起電力が発生し、抵抗１６，主電池１，トランジスタ３，副電源６，発振用トランジスタ１２のベース・エミッタ、及び、ＦＥＴトランジスタ１３を介して流れる電流が共に発振用トランジスタ１２のベース電流となるために、発振用トランジスタ１２は十分なベース電流が与えられ、一瞬にして飽和状態となる。この発振用トランジスタ１２より与えられる電流により発振トランス１５のコアの磁束が飽和すると、発振トランス１５の巻線に逆起電圧が発生して、二次巻線Ｓの逆起電力は整流ダイオード１７の接合容量を介して逆方向に流れ、ＦＥＴトランジスタ１３を介して発振用トランジスタ１２のベース・エミッタ間に逆バイアスが与えられるために、発振用トランジスタ１２は一瞬にして非導通状態となる。
【００４２】
やがて、発振トランス１５のコアの磁束が戻ると、再び先のようなループで発振用トランジスタ１２のベース電流が流れ、これを繰り返すことで主電池１と副電源６で与えられるエネルギーは、発振トランス１５にて昇圧され、整流ダイオード１７を介して主コンデンサ１８に蓄積される。
【００４３】
主コンデンサ１８の充電電圧が所定値ＶTHに達すると、電圧検出回路１９より信号ラインｄを介してハイレベルの信号がＦＥＴトランジスタ８のゲートに印加され、該ＦＥＴトランジスタ８が導通する。この事により、抵抗４を介してトランジスタ３にベース電流が与えられ、トランジスタ３も導通状態となる。従って、ダイオード５には副電源６の電荷により逆バイアスされ、電源のループは、主電源１，トランジスタ３，副電源６となり、主電源１と副電源６の加算された電位が、発振用トランジスタ１２、発振トランス１５、抵抗１０，１６、コンデンサ１１、ＦＥＴトランジスタ１３、及び、ダイオード１４より構成されるストロボ充電用ＤＣ／ＤＣコンバータに印加される。
【００４４】
このようにして、加算電源によりさらに充電が進み、主コンデンサ１８の最大充電電圧ＶFLL に達すると、電圧検出回路１９は図示しないカメラの制御回路に対し制御端子ｂを介して信号を送る。信号を受信するとカメラの制御回路は制御端子ａをローレベルに戻して発振動作を停止させ、初期の状態に戻して再び主電池１より副電源６を充電する状態となる。
【００４５】
図２で、主コンデンサ１８の充電時間と充電電圧との関係を説明すれば、ｔ0 からｔ4 迄の時間においては、主電源１により充電されるため、Ｖ１，Ｖ２”ともに時間的な差が無い。尚、Ｖ１は図４及び図５と同様、副電源が無い場合の充電特性であり、Ｖ２”は本実施の形態における充電特性である。
【００４６】
その後、主コンデンサ１８の電圧がＶTHに達すると、ストロボ充電用のＤＣ／ＤＣコンバータに主電源１と副電源６の加算電源が印加される。従って、Ｖ１と同様の主電源１のみのカーブから、Ｖ２”に示すようなカーブとなり、所定電圧Ｖreg に達する場合の充電時間は、ｔ1 に対してｔ5 で示した時間となり、充電時間を短縮することが可能となる。
【００４７】
ここでは、ダイオード５の動作電圧ＶF による電圧降下を無視し説明したが、該ダイオード５の動作電圧ＶF は低い特性のものを選択することが望ましい。
【００４８】
尚、充電が終了し、発光させる場合の説明は従来例と同等であり、ここでは省略する。
【００４９】
以上の実施の形態によれば、主電源１以外に、該主電源１により充電される副電源６を備えたストロボ装置において、（従来では充電開始と同時に直列接続していたが）電圧検出回路１９にて所定電圧ＶTHが検知された時点で、前記主電源１と副電源６とを直列接続し、これらの加算電圧をストロボ充電用のＤＣ／ＤＣコンバータに印加するようにし、充電電圧が所定電圧ＶTHよりも高い電圧ＶFULLに達すると、前記ＤＣ／ＤＣコンバータの発振を停止するようにしているため、比較的小容量の容量素子を副電源として利用でき、充電時間の短縮に対してもかなりの効果を得ることが可能になる。
【００５０】
（発明と実施の形態の対応）
上記実施の各形態において、主電源１が本発明の主電源に、二次電池又は大容量のコンデンサより成る副電源６が本発明の副電源に、発振用トランジスタ１２、発振トランス１５、抵抗１０，１６、コンデンサ１１、ＦＥＴトランジスタ１３、及び、ダイオード１４が本発明のＤＣ／ＤＣコンバータに、主コンデンサ１８が本発明の主コンデンサに、電圧検出回路１９が本発明の電圧検出手段に、ＦＥＴトランジスタ８、抵抗４、及び、ＦＥＴトランジスタ３が本発明の充電制御手段に、それぞれ相当する。
【００５１】
以上が実施の形態の各構成と本発明の各構成の対応関係であるが、本発明は、これら実施の形態の構成に限定されるものではなく、請求項で示した機能、又は実施の形態がもつ機能が達成できる構成であればどのようなものであってもよいことは言うまでもない。
【００５２】
【発明の効果】
以上説明したように、本発明によれば、充電電圧が第１の所定レベルに達したことが検出されるまでは、主電源のみの電圧にてＤＣ／ＤＣコンバータを作動させ、その後充電電圧が前記第１の所定レベルを越えることにより、初めて主電源に副電源の電圧を加えた電源電圧にてＤＣ／ＤＣコンバータを作動させるようにし、副電源の電圧を加えてのＤＣ／ＤＣコンバータの作動中に、換言すれば、ＤＣ／ＤＣコンバータの作動を停止させる第２の所定レベルに充電電圧が達しないうちに、前記副電源の残電圧が低下してしまわないようにした為、ストロボ充電時間の短縮化のみならず、副電源の小型化、低コスト化を達成することが可能になる。
【図面の簡単な説明】
【図１】本発明の実施の一形態に係るストロボ装置の構成を示す回路図である。
【図２】図１のストロボ装置の充電特性と副電源を有していない場合の充電特性との関係を説明する為の図である。
【図３】従来の副電源を具備したストロボ装置の構成を示す回路図である。
【図４】図３のストロボ装置の充電特性と副電源を有していない場合の充電特性との関係を説明する為の図である。
【図５】図３に示す副電源の容量を小さくした場合の充電特性と副電源を有していない場合の充電特性との関係より、従来のストロボ装置の問題点を説明する為の図である。
【符号の説明】
１          主電源
３          ＦＥＴトランジスタ
４          抵抗
５          ダイオード
６          副電源
８，１３    ＦＥＴトランジスタ
１２        発振用トランジスタ
１５        発振トランス
１８        主コンデンサ
１９        電圧検出回路
ｄ          信号ライン
【図１】
0003720503.tif 000002
【図２】
0003720503.tif 000003
【図３】
0003720503.tif 000004
【図４】
0003720503.tif 000005
【図５】
0003720503.tif 000006